(57)【特許請求の範囲】
【請求項１】
電気回路上に設けられ、電気回路及び素子を保護するヒューズ抵抗器において、
第１及び第２の抵抗端子とヒューズ端子が同一平面上に並んで併設された基板；
前記第１及び第２の抵抗端子上にそれぞれ表面実装され、印加される電流又は電圧を分配する第１及び第２の抵抗素子；及び
前記ヒューズ端子上に表面実装され、前記第１及び第２の抵抗素子の発熱によって溶断される温度ヒューズ；を含み、
前記第１及び第２の抵抗素子は、前記温度ヒューズを基準にして両側に併設され、
過電流又は過電圧が印加されると、前記温度ヒューズの両側で輻射される熱によって前記温度ヒューズが溶断され、
前記第１及び第２の抵抗素子は、抵抗体と、前記抵抗体の両端に設けられ、前記抵抗端子に表面実装される抵抗キャップと、前記抵抗体の外周面に巻かれているコイルと、を含んで構成される巻線型抵抗素子であり、
前記第１及び第２の抵抗素子は、互いに異なる抵抗値を有し、互いに異なる線径のコイルからなる、
ことを特徴とするヒューズ抵抗器。
【請求項２】
電気回路上に設けられ、電気回路及び素子を保護するヒューズ抵抗器において、
第１及び第２の抵抗端子とヒューズ端子が同一平面上に並んで併設された基板；
前記第１及び第２の抵抗端子上にそれぞれ表面実装され、印加される電流又は電圧を分配する第１及び第２の抵抗素子；及び
前記ヒューズ端子上に表面実装され、前記第１及び第２の抵抗素子の発熱によって溶断される温度ヒューズ；を含み、
前記第１及び第２の抵抗素子は、前記温度ヒューズを基準にして両側に併設され、
過電流又は過電圧が印加されると、前記温度ヒューズの両側で輻射される熱によって前記温度ヒューズが溶断され、
前記第１及び第２の抵抗素子は、抵抗体と、前記抵抗体の両端に設けられ、前記抵抗端子に表面実装される抵抗キャップと、前記抵抗体の外周面に巻かれているコイルと、を含んで構成される巻線型抵抗素子であり、
前記第１及び第２の抵抗素子は、互いに異なる抵抗値を有し、
前記第１の抵抗素子の抵抗体は、前記第２の抵抗素子の抵抗体より小さく、
前記第１の抵抗素子のコイルは、前記第２の抵抗素子のコイルより少ないターン数を有するように構成され、
前記電気回路又は前記電気回路上に実装された前記素子が非正常的に動作する場合、少なくとも前記第１の抵抗素子のコイルがオープンする、
ことを特徴とするヒューズ抵抗器。
【請求項３】
電気回路上に設けられ、電気回路及び素子を保護するヒューズ抵抗器において、
第１及び第２の抵抗端子とヒューズ端子が同一平面上に並んで併設された基板；
前記第１及び第２の抵抗端子上にそれぞれ表面実装され、印加される電流又は電圧を分配する第１及び第２の抵抗素子；及び
前記ヒューズ端子上に表面実装され、前記第１及び第２の抵抗素子の発熱によって溶断される温度ヒューズ；を含み、
前記第１及び第２の抵抗素子は、前記温度ヒューズを基準にして両側に併設され、
過電流又は過電圧が印加されると、前記温度ヒューズの両側で輻射される熱によって前記温度ヒューズが溶断され、
前記第１及び第２の抵抗素子は、抵抗体と、前記抵抗体の両端に設けられ、前記抵抗端子に表面実装される抵抗キャップと、前記抵抗体の外周面に巻かれているコイルと、を含んで構成される巻線型抵抗素子であり、
前記第１の抵抗素子は、前記第２の抵抗素子より小さい抵抗値を有し、薄い線径のコイルからなり、
前記電気回路又は前記電気回路上に実装された前記素子が非正常的に動作する場合、少なくとも前記第１の抵抗素子のコイルがオープンする、
ことを特徴とするヒューズ抵抗器。
【請求項４】
前記電気回路内でショートが起こったり、又は、前記電気回路上に実装された前記素子が焼損してエージングされた場合、少なくとも前記第１の抵抗素子のコイルがオープンする、
ことを特徴とする請求項２又は３に記載のヒューズ抵抗器。
【請求項５】
前記基板にはリード線端子が形成され、
前記リード線端子には表面実装型リード線が実装される、
ことを特徴とする請求項１乃至３のいずれか一項に記載のヒューズ抵抗器。
【請求項６】
前記基板は、下面にソルダーボールが結合するパッドが形成され、メーン基板上に表面実装される、
ことを特徴とする請求項１乃至３のいずれか一項に記載のヒューズ抵抗器。
【発明の詳細な説明】
【技術分野】
【０００１】
本発明は、ヒューズ抵抗器に関し、より詳細には、ヒューズと抵抗器の機能を共に行うことができ、抵抗素子と温度ヒューズを基板に表面実装方式で設置できるので自動化が容易であり、複数の抵抗素子を適宜配置することによってヒューズと抵抗器の機能を効率的に行うことができるヒューズ抵抗器及びその製造方法に関する。
【背景技術】
【０００２】
一般に、ＬＣＤ  ＴＶ、ＰＤＰ  ＴＶなどの大型電子製品、又は、スマートフォン、タブレットＰＣなどの携帯が可能な電子機器の電気回路には、電源のオン時又はバッテリーの充電時に発生する突入電流、内部温度の上昇、持続的な過電流などによって発生する機器の故障を防止するために、電気回路の電源入力端にヒューズ抵抗器などの保護素子を設けることによって電源回路を保護している。
【０００３】
このようなヒューズ抵抗器は、まず、抵抗体及び温度ヒューズを備えており、抵抗体と温度ヒューズはリード線を介して互いに直列に連結される。
【０００４】
また、ヒューズ抵抗器は、溶断体の溶断時に発生する破片によって他の電子部品が影響を受けないように抵抗体と温度ヒューズをケースでパッケージングするようになり、ケースの内部には充填材が充填される。
【０００５】
ここで、前記充填材としては、耐熱性、伝導性、硬化性などを考慮して珪石（ＳｉＯ２）を含むスラリー状の充填材が使用され、前記ケースとしては、通常、一般に抵抗のケースとして用いられているセラミック材質のケースが使用されている。
【０００６】
また、前記リード線の端部はケースの外部に引き出されるように延長され、従来のヒューズ抵抗器は、前記リード線の端部を印刷回路基板に半田付けし、抵抗体と温度ヒューズが立設された状態になるように印刷回路基板に設置される。
【０００７】
したがって、このように設けられたヒューズ抵抗器は、突入電流が流入する場合は、抵抗体を用いてこれを所定電流に制限するようになり、過電流が流入する場合は、抵抗体の発熱によって発生した熱を前記充填材を介して温度ヒューズに伝導させ、温度ヒューズの内部に設けられている固体状の鉛又は高分子ペレットからなる溶断体が溶断され、回路をオープンさせることによって家電製品の電気回路を保護するようになる。
【０００８】
図１７を参照すると、特許文献１には、抵抗体と、前記抵抗体の発熱作用によって回路をオープンさせるように設けられた温度ヒューズと、前記抵抗体と温度ヒューズとを直列に連結するリード線と、前記リード線の端部が外部に引き出された状態で前記抵抗体と温度ヒューズを内部に収容するために一面が開放され、一側壁面に前記リード線の引き出しのための引き出し溝を備えるように設けられたケースと、抵抗体と温度ヒューズが内部に挿入されるように前記ケースの内部に充填され、珪石を含むように設けられた充填材とを備える温度ヒューズ抵抗器において、前記ケースは、前記充填材より相対的に小さい耐熱性を有する熱硬化性樹脂材質を射出成形して設けられたことを特徴とするヒューズ抵抗器が開示されている。
【０００９】
但し、前記特許文献１は、抵抗体が前記温度ヒューズの一側のみに備えられるので、定格電流が印加される場合に発生する熱の分散が行われず、正常状態で製品の温度が上昇するという問題を有する。
【００１０】
また、前記特許文献１は、抵抗体と温度ヒューズとを連結するリード線と、ケースの外部と連結するリード線をそれぞれ連結しなければならないので、自動化工程で製造しにくいという問題を有する。
【先行技術文献】
【特許文献】
【００１１】
【特許文献１】大韓民国登録特許第１０―１０６００１３号
【発明の概要】
【発明が解決しようとする課題】
【００１２】
そこで、本発明は、前記のような問題を解決するためになされたものであって、本発明の目的は、基板上に直接抵抗素子及び温度ヒューズを表面実装するので自動化が容易であり、抵抗素子と温度ヒューズとを連結するリード線などを省略することによって製造工程を簡素化できるヒューズ抵抗器を提供することにある。
【００１３】
また、本発明の目的は、回路内に突入電流が印加されると、これを前記抵抗素子によって所定電流に制限することによって回路及び製品を保護できるヒューズ抵抗器を提供することにある。
【００１４】
また、本発明の目的は、回路内にサージ電圧が印加されると、これを抵抗素子で吸収することによって回路及び製品を保護できるヒューズ抵抗器を提供することにある。
【００１５】
また、本発明の目的は、回路内で部品の焼損又はショートが起こる場合、抵抗素子のコイルがオープンすることによって回路を保護することができ、特に、第１の抵抗素子は、線径を薄くし、ターン数を少なくし、第２の抵抗素子に比べて抵抗値を低下させることによって、オープン時の爆発力を減少させ得るヒューズ抵抗器を提供することにある。
【００１６】
また、本発明の目的は、過電圧又は過電流が印加されるとき、温度ヒューズの両側で第１及び第２の抵抗素子が発熱するので、溶断時間を短縮させ得るヒューズ抵抗器を提供することにある。
【課題を解決するための手段】
【００１７】
このために、本発明に係るヒューズ抵抗器は、電気回路上に設けられ、電気回路及び素子を保護するヒューズ抵抗器において、第１及び第２の抵抗端子とヒューズ端子が同一平面上に並んで併設された基板；前記第１及び第２の抵抗端子上にそれぞれ表面実装され、印加される電流又は電圧を分配する第１及び第２の抵抗素子；及び前記ヒューズ端子上に表面実装され、前記第１及び第２の抵抗素子の発熱によって溶断される温度ヒューズ；を含み、前記第１及び第２の抵抗素子は、前記温度ヒューズを基準にして両側に併設され、過電流又は過電圧が印加されると、前記温度ヒューズの両側で輻射される熱によって前記温度ヒューズが溶断され、前記第１及び第２の抵抗素子は、抵抗体と、前記抵抗体の両端に設けられ、前記抵抗端子に表面実装される抵抗キャップと、前記抵抗体の外周面に巻かれているコイルと、を含んで構成される巻線型抵抗素子であり、前記第１及び第２の抵抗素子は、互いに異なる抵抗値を有し、互いに異なる線径のコイルからなる、ことを特徴とする。
【００１８】
また、本発明に係るヒューズ抵抗器は、電気回路上に設けられ、電気回路及び素子を保護するヒューズ抵抗器において、第１及び第２の抵抗端子とヒューズ端子が同一平面上に並んで併設された基板；前記第１及び第２の抵抗端子上にそれぞれ表面実装され、印加される電流又は電圧を分配する第１及び第２の抵抗素子；及び前記ヒューズ端子上に表面実装され、前記第１及び第２の抵抗素子の発熱によって溶断される温度ヒューズ；を含み、前記第１及び第２の抵抗素子は、前記温度ヒューズを基準にして両側に併設され、過電流又は過電圧が印加されると、前記温度ヒューズの両側で輻射される熱によって前記温度ヒューズが溶断され、前記第１及び第２の抵抗素子は、抵抗体と、前記抵抗体の両端に設けられ、前記抵抗端子に表面実装される抵抗キャップと、前記抵抗体の外周面に巻かれているコイルと、を含んで構成される巻線型抵抗素子であり、前記第１及び第２の抵抗素子は、互いに異なる抵抗値を有し、前記第１の抵抗素子の抵抗体は、前記第２の抵抗素子の抵抗体より小さく、前記第１の抵抗素子のコイルは、前記第２の抵抗素子のコイルより少ないターン数を有するように構成され、前記電気回路又は前記電気回路上に実装された前記素子が非正常的に動作する場合、少なくとも前記第１の抵抗素子のコイルがオープンする、ことを特徴とする。
【００１９】
また、本発明に係るヒューズ抵抗器は、電気回路上に設けられ、電気回路及び素子を保護するヒューズ抵抗器において、第１及び第２の抵抗端子とヒューズ端子が同一平面上に並んで併設された基板；前記第１及び第２の抵抗端子上にそれぞれ表面実装され、印加される電流又は電圧を分配する第１及び第２の抵抗素子；及び前記ヒューズ端子上に表面実装され、前記第１及び第２の抵抗素子の発熱によって溶断される温度ヒューズ；を含み、前記第１及び第２の抵抗素子は、前記温度ヒューズを基準にして両側に併設され、過電流又は過電圧が印加されると、前記温度ヒューズの両側で輻射される熱によって前記温度ヒューズが溶断され、前記第１及び第２の抵抗素子は、抵抗体と、前記抵抗体の両端に設けられ、前記抵抗端子に表面実装される抵抗キャップと、前記抵抗体の外周面に巻かれているコイルと、を含んで構成される巻線型抵抗素子であり、前記第１の抵抗素子は、前記第２の抵抗素子より小さい抵抗値を有し、薄い線径のコイルからなり、前記電気回路又は前記電気回路上に実装された前記素子が非正常的に動作する場合、少なくとも前記第１の抵抗素子のコイルがオープンする、ことを特徴とする。
【発明の効果】
【００２０】
以上のような構成の本発明に係るヒューズ抵抗器によると、基板上に直接抵抗素子及び温度ヒューズを表面実装するので自動化が容易であり、抵抗素子と温度ヒューズとを連結するリード線などを省略することによって製造工程を簡素化することができる。
【００２１】
また、本発明に係るヒューズ抵抗器によると、突入電流が印加されると、これを前記抵抗素子によって所定電流に制限することによって回路及び製品を保護することができる。
【００２２】
また、本発明に係るヒューズ抵抗器によると、回路内にサージ電圧が印加されると、これを抵抗素子で吸収することによって回路及び製品を保護することができる。
【００２３】
また、本発明に係るヒューズ抵抗器によると、回路内で部品の焼損又はショートが起こる場合、抵抗素子のコイルがオープンすることによって回路を保護することができ、特に、第１の抵抗素子は、線径を薄くし、ターン数を少なくし、第２の抵抗素子に比べて抵抗値を低下させることによってオープン時の爆発力を減少させることができる。
【００２４】
また、本発明に係るヒューズ抵抗器によると、過電圧又は過電流が印加されるとき、温度ヒューズの両側で第１及び第２の抵抗素子が発熱するので、溶断時間を短縮させることができる。
【図面の簡単な説明】
【００２５】
【図１】本発明に係るヒューズ抵抗器の一実施例を示す斜視図である。
【図２】本発明に係るヒューズ抵抗器の一実施例を示す分解斜視図である。
【図３】図２の温度ヒューズと異なる構造の温度ヒューズを示す図である。
【図４】メーン基板上に本発明のヒューズ抵抗器が実装される状態を示す使用状態図である。
【図５】メーン基板上に本発明のヒューズ抵抗器が実装される状態を示す使用状態図である。
【図６】メーン基板上に本発明のヒューズ抵抗器が実装される状態を示す使用状態図である。
【図７】本発明の第１及び第２の抵抗素子が直列に配置された状態を示す回路図である。
【図８】本発明の第１及び第２の抵抗素子が並列に配置された状態を示す回路図である。
【図９】本発明に係る温度ヒューズが第１及び第２の抵抗素子の発熱によって溶断される状態を示す平面図である。
【図１０】本発明に係る第１及び第２の抵抗素子のコイルがサージ電圧又は電気回路の非正常的な動作によってオープンする状態を示す平面図である。
【図１１】本発明に係る第１及び第２の抵抗素子のコイルが互いに異なる線径及びターン数を有して形成された状態を示す平面図である。
【図１２】本発明の基板上に抵抗素子及び温度ヒューズが配置された状態を示す平面図である。
【図１３】本発明の基板上に抵抗素子及び温度ヒューズが配置された状態を示す平面図である。
【図１４】本発明の基板上に抵抗素子及び温度ヒューズが配置された状態を示す平面図である。
【図１５】本発明の基板上に抵抗素子及び温度ヒューズが配置された状態を示す平面図である。
【図１６】本発明の基板上に抵抗素子及び温度ヒューズが配置された状態を示す平面図である。
【図１７】従来のヒューズ抵抗器の斜視図である。
【発明を実施するための形態】
【００２６】
以下、添付の図面を参照して本発明の実施例を詳細に説明する。
【００２７】
本発明を説明するにおいて、関連する公知機能或いは構成に対する具体的な説明が本発明の要旨を不要に不明瞭にし得ると判断される場合、それについての詳細な説明は省略する。また、後述する各用語は、本発明での機能を考慮して定義された用語であって、これは、使用者及び運用者の意図又は判例などによって変わり得る。そのため、各用語は、本明細書全般にわたる内容に基づいて定義すべきであろう。
【００２８】
図１は、本発明に係るヒューズ抵抗器の一実施例を示す斜視図で、図２は、本発明に係るヒューズ抵抗器の一実施例を示す分解斜視図である。
【００２９】
図１及び図２を参照すると、本発明に係るヒューズ抵抗器１００は、電子製品の電気回路に採用されるように設けられたものであって、大きく、基板１１０、第１及び第２の抵抗素子１３０、１３５及び温度ヒューズ１４０を含むことができる。
【００３０】
前記基板１１０には、第１及び第２の抵抗端子１１１、１１３、ヒューズ端子１１５、リード線端子１１７及び溝１１６が形成される。
【００３１】
前記第１及び第２の抵抗素子１３０、１３５は、それぞれロッド状の抵抗体１３１と、前記抵抗体１３１の両端に設けられる抵抗キャップ１３３と、前記抵抗体１３１の外周面に巻かれているコイル１３４とを含んで構成される巻線型抵抗素子であることを例示することができる。
【００３２】
そして、前記第１及び第２の抵抗素子１３０、１３５は、第１及び第２の抵抗端子１１１、１１３上に表面実装できるようにリード線のないＳＭＤ型抵抗素子であることが好ましい。このとき、前記抵抗キャップ１３３は、ソルダーペースト（図示せず）を用いて基板１１０の抵抗端子１１１、１１３に固定するようになる。
【００３３】
前記温度ヒューズ１４０は、ヒューズ端子１１５に表面実装され、過電圧又は過電流の印加によって前記第１及び第２の抵抗素子１３０、１３５が発熱すると、その熱によって溶断され、電気接続を遮断する役割をする。
【００３４】
また、前記温度ヒューズ１４０は、図２に示したように、４５０℃以下の融点を有する低融点金属又は合金、例えば、Ｓｎ、Ａｇ、Ｓｂ、Ｉｎ、Ｂｉ、Ａｌ、Ｚｎ、Ｃｕ及びＮｉのうち少なくともいずれか一つの元素を含むバー状の仮溶体であることを例示できるが、必ずしもこれに限定されることはない。
【００３５】
図３は、図２の温度ヒューズと異なる構造の温度ヒューズを示す図である。
【００３６】
前記温度ヒューズ１４０ａは、図３に示したように、セラミックチューブ管１４１と、前記セラミックチューブ管１４１の両端に形成された端子１４２と、前記セラミックチューブ管１４１内に挿入された可溶体線１４３とからなり得る。
【００３７】
図４〜図６は、メーン基板上に本発明のヒューズ抵抗器が実装される状態を示す使用状態図である。
【００３８】
図１、図２及び図４を共に参照すると、前記基板に形成されたリード線端子１１７は、回路パターン（図示せず）を介してそれぞれ前記第１及び第２の抵抗端子１１１、１１３に電気的に接続され、前記リード線端子１１７には板状の表面実装型リード線１１９が表面実装される。
【００３９】
そして、前記の表面実装されたリード線１１９は、下向きに折り曲げられて溝１１６に嵌められ、メーン基板２００上に形成されたホール２０１を介して挿入された後でソルダリングされる。
【００４０】
図５を参照すると、本発明のヒューズ抵抗器１００は、前記メーン基板２００上に表面実装されるように構成することができる。具体的に、前記基板１１０にはパッド１１２が形成され、メーン基板２００上にはヒューズ抵抗器端子２０３が形成される。そして、前記ヒューズ抵抗器端子２０３上にソルダーボール２０５を形成し、前記パッド１１２を前記ソルダーボールに載せることによって基板１１０とメーン基板２００とが接続される。
【００４１】
図６を参照すると、前記基板１１０には、上下に貫通形成されたリード線端子１１８が形成され得る。前記リード線端子１１８は、回路パターン（図示せず）を介してそれぞれ前記第１及び第２の抵抗端子１１１、１１３に電気的に接続され、リード線１１９ａは、前記リード線端子１１８に挿入された状態でソルダリングされる。
【００４２】
図７及び図８は、それぞれ本発明の第１及び第２の抵抗素子が直列及び並列に配置された状態を示す回路図である。
【００４３】
本発明の第１及び第２の抵抗素子１３０、１３５は、直列又は並列に連結され得る。
【００４４】
図７を参照すると、本発明では、第１の抵抗素子１３０、温度ヒューズ１４０及び第２の抵抗素子１３５の順に直列に連結したり、又は、第１の抵抗素子１３０、第２の抵抗素子１３５及び温度ヒューズ１４０の順に直列に連結することができる。
【００４５】
このように、第１及び第２の抵抗素子１３０、１３５が直列に連結される場合は、ヒューズ抵抗器１００に印加される電圧を分配することによって、サージ電圧による衝撃を減少できるようになる。
【００４６】
そして、第１の抵抗素子と第２の抵抗素子は、並列に連結された状態で温度ヒューズと直列に連結され得る。
【００４７】
このように、第１及び第２の抵抗素子が並列に連結される場合は、ヒューズ抵抗器に印加される電流を分配することによって、突入電流又はサージ電流による衝撃を減少できるようになる。
【００４８】
但し、以下では、図７に示したように、第１の抵抗素子、温度ヒューズ及び第２の抵抗素子が順次直列に連結される構成を中心に説明する。
【００４９】
以下では、本発明に係るヒューズ抵抗器を、（１）過電流／過電圧が印加される場合、（２）突入電流が印加される場合、（３）サージ電圧が所定の電圧値を超えて印加される場合、（４）電気回路及び素子が非正常的に動作する場合に区分して説明する。
【００５０】
図９は、本発明に係る温度ヒューズが第１及び第２の抵抗素子の発熱によって溶断される状態を示す平面図で、図１０は、本発明に係る第１及び第２の抵抗素子のコイルがサージ電圧又は電気回路の非正常的に動作によってオープンする状態を示す平面図で、図１１は、本発明に係る第１及び第２の抵抗素子のコイルが互いに異なる線径及びターン数を有して形成された状態を示す平面図である。
【００５１】
まず、本発明に係るヒューズ抵抗器１００は、正常状態で不要に過度な熱が発生することを防止することができる。
【００５２】
すなわち、従来のヒューズ抵抗器は、温度ヒューズがその一側に配置された一つの抵抗素子で発生する熱を通じて溶断されるので、定格電流又は定格電圧が印加される正常状態で過度な熱が発生していた。しかし、本発明のヒューズ抵抗器１００では、抵抗素子が第１及び第２の抵抗素子１３０、１３５に分割されることによって電圧又は電流を分配するので、熱を分散させることができる。
【００５３】
次に、図９を参照すると、本発明に係るヒューズ抵抗器１００は、例えば、定格電流が３００ｍＡである場合、１Ａの過電流が所定時間の間持続的に印加されると、温度ヒューズ１４０の両側に配置された第１及び第２の抵抗素子１３０、１３５が発熱し、その熱が温度ヒューズ１４０に伝達されるので、溶断時間を短縮させることができる。
【００５４】
その次に、本発明に係るヒューズ抵抗器１００は、電源の印加時に発生する突入電流が印加される場合は、これを前記第１及び第２の抵抗素子１３０、１３５によって所定値未満の電流に制限することによって電気回路を保護するようになる。
【００５５】
その次に、図１０を参照すると、本発明に係る第１及び第２の抵抗素子１３０、１３５は、設定された電圧、例えば、６ｋＶ以下のサージ電圧では爆発せずに耐えるように設計され、６ｋＶを超えるサージ電圧が印加される場合は、抵抗素子のコイル１３４がオープンすることによって電気回路を保護するようになる。
【００５６】
その次に、本発明に係るヒューズ抵抗器は、前記電気回路又は前記電気回路上に実装された前記素子が非正常的に動作する場合にも、電気回路などを保護することができる。例えば、前記電気回路内でショートが起こったり、又は、前記電気回路上に実装された前記素子が焼損してエージングされた場合、第１の抵抗素子１３０のコイル又は第２の抵抗素子１３５のコイル１３４ａがオープンしながら電気回路を保護するようになる。
【００５７】
図１１を参照すると、本発明に係る第１及び第２の抵抗素子１３０、１３５は、コイル１３４、１３４ａが互いに異なる線径及びターン数を有するように構成することができる。
【００５８】
例えば、第１の抵抗素子１３０は、コイル１３４の線径が薄く、ターン数が少なく、抵抗値が小さく構成され、第２の抵抗素子１３５は、第１の抵抗素子１３０に比べてコイル１３４ａの線径が太く、ターン数が多く、抵抗値が大きく構成され得る。
【００５９】
図１６を参照すると、前記第１の抵抗素子１３０の抵抗体は、前記第２の抵抗素子１３５の抵抗体より小さく、前記第１の抵抗素子１３０のコイルは、前記第２の抵抗素子１３５のコイルより少ないターン数を有するように構成することができる。
【００６０】
このように、前記第１の抵抗素子を前記第２の抵抗素子に比べて薄い線径及び少ないターン数を有するように構成したり（図１１参照）、又は、第１の抵抗素子の抵抗体を第２の抵抗素子の抵抗体より小さく、少ないターン数を有するように構成すると（図１６参照）、上述した（３）サージ電圧が所定の電圧値を超えて印加される場合、及び（４）電気回路及び素子が非正常的に動作する場合に、第１の抵抗素子のコイルがオープンしながら電気回路及び素子を保護するようになる。
【００６１】
例えば、電気回路及び素子が非正常的に動作する場合、相対的に線径が薄いか、ターン数が少ないか、抵抗値が小さい第１の抵抗素子のコイルがオープンするので、一つの抵抗素子からなる従来のヒューズ抵抗器に比べて騒音、衝撃などを著しく減少させることができる。
【００６２】
図１２〜図１６は、本発明の基板上に抵抗素子及び温度ヒューズが配置された状態を示す平面図である。
【００６３】
一方、図１２〜図１６を参照すると、前記第１及び第２の抵抗素子１３０、１３５は、それぞれ一つ又は複数で構成することができる。
【００６４】
例えば、前記第１の抵抗素子１３０と第２の抵抗素子１３５は、図１２に示すように温度ヒューズ１４０の両側に一つずつ配置されてもよく、図１３に示すように複数で構成されてもよい。
【００６５】
また、前記第１の抵抗素子１３０と第２の抵抗素子１３５は、図１４に示すように、必ずしも同一の個数である必要はなく、諸般の事情に応じて互いに異なる個数で構成することもできる。
【００６６】
また、前記第１の抵抗素子１３０と第２の抵抗素子１３５は、図１５及び図１６に示すように、必ずしも同一のサイズ及び同一の抵抗値を有する必要はなく、互いに異なるサイズと抵抗値を有することができる。
【００６７】
結論的に、本発明に係るヒューズ抵抗器は、例えば、定格電流が３００ｍＡである場合、１Ａの過電流が所定時間の間印加されると、温度ヒューズの両側に配置された第１及び第２の抵抗素子が発熱し、前記温度ヒューズを迅速に溶断することによって該当の回路を保護する。
【００６８】
そして、本発明に係るヒューズ抵抗器は、突入電流が印加される場合は、これが前記抵抗素子によって所定電流に制限され、サージ電圧が印加されたり、電気回路が非正常的に動作する場合は、第１及び第２の抵抗素子のコイルがオープンすることによって回路を保護するようになる。
【００６９】
一方、本発明の詳細な説明及び添付の図面では、具体的な実施例について説明したが、本発明は、開示した実施例に限定されるものではなく、本発明の属する技術分野で通常の知識を有する者であれば、本発明の技術的思想から逸脱しない範囲内で多様な置換、変形及び変更が可能である。したがって、本発明の範囲は、上述した実施例に限定して定めてはならなく、後述する特許請求の範囲のみならず、この特許請求の範囲と均等なものを含むものと解釈すべきであろう。
【符号の説明】
【００７０】
１００    ヒューズ抵抗器
１１０    基板
１１１    第１の抵抗端子
１１２    パッド
１１３    第２の抵抗端子
１１５    ヒューズ端子
１１６    溝
１１７    リード線端子
１１８    引き出しホール
１１９    リード線
１３０    第１の抵抗素子
１３１    抵抗体
１３３    抵抗キャップ
１３４    コイル
１３５    第２の抵抗素子
１４０    温度ヒューズ
２００    メーン基板
２０１    ホール
２０３    ヒューズ抵抗器端子
２０５    ソルダーボール
【図１】
0005960308.tif 000002
【図２】
0005960308.tif 000003
【図３】
0005960308.tif 000004
【図４】
0005960308.tif 000005
【図５】
0005960308.tif 000006
【図６】
0005960308.tif 000007
【図７】
0005960308.tif 000008
【図８】
0005960308.tif 000009
【図９】
0005960308.tif 000010
【図１０】
0005960308.tif 000011
【図１１】
0005960308.tif 000012
【図１２】
0005960308.tif 000013
【図１３】
0005960308.tif 000014
【図１４】
0005960308.tif 000015
【図１５】
0005960308.tif 000016
【図１６】
0005960308.tif 000017
【図１７】
0005960308.tif 000018